(57)【要約】      （修正有）【課題】部材アタック性が低減され、かつ、有機溶剤を主成分とするインクを用いるインクジェット記録装置の洗浄に適した溶剤系メンテナンス液及びインクジェット記録装置のメンテナンス方法の提供。【解決手段】インクジェット記録装置のメンテナンスに用いる溶剤系メンテナンス液であって、ラクトン系溶剤と、溶剤系メンテナンス液の総質量に対して３０質量％以上のアルキレングリコールモノエーテル系溶剤と、を含有する溶剤系メンテナンス液。【選択図】なし【特許請求の範囲】
【請求項１】
インクジェット記録装置のメンテナンスに用いる溶剤系メンテナンス液であって、
ラクトン系溶剤と、溶剤系メンテナンス液の総質量に対して３０質量％以上のアルキレ
ングリコールモノエーテル系溶剤と、を含有する、溶剤系メンテナンス液。
【請求項２】
溶剤の総含有量が、前記溶剤系メンテナンス液の総質量に対して８０質量％以上である
、請求項１に記載の溶剤系メンテナンス液。
【請求項３】
アルキレングリコールエーテル系溶剤と前記ラクトン系溶剤の合計の含有量が、前記溶
剤系メンテナンス液の総質量に対して８０質量％以上である、請求項１または請求項２に
記載の溶剤系メンテナンス液。
【請求項４】
アルキレングリコールエーテル系溶剤の含有量が、前記溶剤系メンテナンス液の総質量
に対して８０質量％以下である、請求項１ないし請求項３のいずれか一項に記載の溶剤系
メンテナンス液。
【請求項５】
前記アルキレングリコールモノエーテル系溶剤として、下記一般式（１）で表される化
合物を含有する、請求項１ないし請求項４のいずれか一項に記載の溶剤系メンテナンス液
。
Ｒ１Ｏ−（Ｒ２Ｏ）ｍ−ＯＨ・・・・・（１）
（一般式（１）中、Ｒ１は炭素数１以上４以下のアルキル基を表す。Ｒ２は炭素数２以上
４以下のアルキレン基を表す。ｍは１〜７の整数を表す。）
【請求項６】
前記ラクトン系溶剤の含有量が、２０質量％以上である、請求項１ないし請求項５のい
ずれか一項に記載の溶剤系メンテナンス液。
【請求項７】
アルキレングリコールジエーテル系溶剤の含有量が、２０質量％以上である、請求項１
ないし請求項６のいずれか一項に記載の溶剤系メンテナンス液。
【請求項８】
前記溶剤系メンテナンス液は、可塑剤を含む樹脂部材からなる容器に収容されているか
、当該樹脂部材からなるインクジェット記録装置の部分のメンテナンスに用いるものであ
る、請求項１ないし請求項７のいずれか一項に記載の溶剤系メンテナンス液。
【請求項９】
前記インクジェット記録装置が、非水系インク組成物を用いて記録を行うものである、
請求項１ないし請求項８のいずれか一項に記載の溶剤系メンテナンス液。
【請求項１０】
請求項１ないし請求項９のいずれか一項に記載の溶剤系メンテナンス液を用いてインク
ジェット記録装置のメンテナンスを行う、インクジェット記録装置のメンテナンス方法。
【発明の詳細な説明】
【技術分野】
【０００１】
本発明は、溶剤系メンテナンス液及びインクジェット記録装置のメンテナンス方法に関
する。
【背景技術】
【０００２】
インクジェット記録用ヘッドのノズルから吐出させた微小なインクの液滴によって画像
や文字を記録する、いわゆるインクジェット記録装置が知られている。インクジェット記
録装置には、例えば、インクジェットインク組成物（以下、「インク」とも呼ぶ。）を貯
留するインク受容部からインクジェット式記録ヘッドにインクを供給するための流路や、
インクジェット式記録ヘッド内においてインクをノズル開口部まで流通させるための流路
等、インクを流通させるためのインク流路が設けられている。
【０００３】
インクジェット記録装置では、例えば、インク流路の詰まりが生じると、インクの供給
が阻害されたり、インクの吐出不良が生じたりする場合がある。このため、このような不
具合を解消するためのインクジェット記録装置のメンテナンス液として、例えば、洗浄液
をインク流路内に流通させることが行われている（特許文献１参照）。
【０００４】
インク流路は、洗浄液で洗浄された後に再度インクで充填される。そのため、洗浄液と
インクとの置き換えを容易にするために、洗浄液に含まれる成分とインクに含まれる成分
の主溶剤を同じにする等、両者に含まれる成分を近いものにすることが知られている（特
許文献２参照）。このような観点から、有機溶剤を主成分とする非水系インクを用いるイ
ンクジェット記録装置では、インク流路を洗浄する際に、非水系インクと同様の有機溶剤
を含む溶剤系洗浄液が用いられることが多い。
【先行技術文献】
【特許文献】
【０００５】
【特許文献１】特開２００７−２５４５５０号公報
【特許文献２】特開２０１１−１４０５５６号公報
【発明の概要】
【発明が解決しようとする課題】
【０００６】
上記のような洗浄液は、インクジェット記録装置のインク流路に供給される前に、容器
内で保存されていることが多い。このような洗浄液の保存に用いる容器は、洗浄液と接触
する部材に、可塑剤を含む樹脂部材を使用している場合がある。
【０００７】
そして、洗浄液として溶剤系の洗浄液を用いる場合、水系の洗浄液と比較して多く含ま
れる有機溶剤の影響により、洗浄液が樹脂部材を膨潤・溶解して容器にダメージを与える
部材アタック性を有する場合がある。洗浄液が部材アタック性を有すると、容器内で可塑
剤等由来の異物が発生し、保存安定性に劣る。また、容器内で発生した異物は、洗浄液と
共にインク流路に流入して、ノズル詰まり等の不具合を生じさせ、インク流路の洗浄を阻
害する場合がある。
【０００８】
同様に、インク流路に可塑剤を含む樹脂部材を使用していると、容器で生じた不具合と
同様の現象が発生し、ノズル詰まり等の不具合や、異物によるインク流路の洗浄阻害が発
生する場合がある。
【０００９】
更に、このような異物の発生を低減させるために、部材アタック性が弱い溶剤を用いる
と、今度は、洗浄性が低下する場合があり、充分にインクジェット記録装置をメンテナン
スすることができない。
【００１０】
そこで、本発明に係る幾つかの態様は、上述の課題の少なくとも一部を解決することで
、部材アタック性が低減され、かつ、有機溶剤を主成分とするインクを用いるインクジェ
ット記録装置の洗浄に適した溶剤系メンテナンス液及びインクジェット記録装置のメンテ
ナンス方法を提供するものである。
【課題を解決するための手段】
【００１１】
本発明は前述の課題の少なくとも一部を解決するためになされたものであり、以下の態
様または適用例として実現することができる。
【００１２】
［適用例１］
本発明に係る溶剤系メンテナンス液の一態様は、
インクジェット記録装置のメンテナンスに用いる溶剤系メンテナンス液であって、
ラクトン系溶剤と、溶剤系メンテナンス液の総質量に対して３０質量％以上のアルキレ
ングリコールモノエーテル系溶剤と、を含有することを特徴とする。
【００１３】
上記適用例によれば、ラクトン系溶剤と、溶剤系メンテナンス液の総質量に対して３０
質量％以上のアルキレングリコールモノエーテル系溶剤とを含有することにより、部材ア
タック性が低減され、かつ、インクジェット記録装置の洗浄に適した溶剤系メンテナンス
液を提供することができる。
【００１４】
［適用例２］
上記適用例において、
溶剤の総含有量が、前記溶剤系メンテナンス液の総質量に対して８０質量％以上である
ことができる。
【００１５】
上記適用例によれば、さらに洗浄性に優れた溶剤系メンテナンス液となる。
【００１６】
［適用例３］
上記適用例において、
アルキレングリコールエーテル系溶剤とラクトン系溶剤の合計の含有量が、前記溶剤系
メンテナンス液の総質量に対して８０質量％以上であることができる。
【００１７】
上記適用例によれば、さらに、部材アタック性が低減され、洗浄性に優れた溶剤系メン
テナンス液となる。
【００１８】
［適用例４］
上記適用例において、
アルキレングリコールエーテル系溶剤の含有量が、前記溶剤系メンテナンス液の総質量
に対して８０質量％以下であることができる。
【００１９】
上記適用例によれば、さらに、部材アタック性が低減され、洗浄性に優れた溶剤系メン
テナンス液となる。
【００２０】
［適用例５］
上記適用例において、
前記アルキレングリコールモノエーテル系溶剤として、下記一般式（１）で表される化
合物を含有することができる。
Ｒ１Ｏ−（Ｒ２Ｏ）ｍ−ＯＨ・・・・・（１）
（一般式（１）中、Ｒ１は炭素数１以上４以下のアルキル基を表す。Ｒ２は炭素数２以上
４以下のアルキレン基を表す。ｍは１〜７の整数を表す。）
【００２１】
上記適用例によれば、より部材アタック性低減の点で好ましい溶剤系メンテナンス液と
なる。
【００２２】
［適用例６］
上記適用例において、
前記ラクトン系溶剤の含有量が、２０質量％以上であることができる。
【００２３】
上記適用例によれば、より洗浄性に優れた溶剤系メンテナンス液となる。
【００２４】
［適用例７］
上記適用例において、
アルキレングリコールジエーテル系溶剤の含有量が、２０質量％以上であることができ
る。
【００２５】
上記適用例によれば、より洗浄性に優れた溶剤系メンテナンス液となる。
【００２６】
［適用例８］
上記適用例において、
前記溶剤系メンテナンス液は、可塑剤を含む樹脂部材からなる容器に収容されているか
、当該樹脂部材からなるインクジェット記録装置の部分のメンテナンスに用いるものであ
ることができる。
【００２７】
上記適用例の溶剤系メンテナンス液は、部材アタック性が低減され、かつ、洗浄性に優
れているため、可塑剤を含む樹脂部材からなる容器や当該樹脂部材からなるインクジェッ
ト記録装置の部分のメンテナンスの使用に好適である。
【００２８】
［適用例９］
上記適用例において、
前記インクジェット記録装置が、非水系インク組成物を用いて記録を行うものであるこ
とができる。
【００２９】
上記適用例の溶剤系メンテナンス液は、非水系インク組成物と溶剤の組成が近く、相溶
性が高いため、溶剤系メンテナンス液とインクとの置換を効率的に行うことができる。こ
のため、インクジェット記録装置の部分のメンテナンスの使用に好適となる。
【００３０】
［適用例１０］
本発明に係るインクジェット記録装置のメンテナンス方法の一態様は、
適用例１ないし適用例９のいずれか一例に記載の溶剤系メンテナンス液を用いてインク
ジェット記録装置のメンテナンスを行うことを特徴とする。
【００３１】
上記適用例によれば、部材アタック性が低減され、かつ、インクジェット記録装置の洗
浄に適したインクジェット記録装置のメンテナンス方法を提供することができる。
【図面の簡単な説明】
【００３２】
【図１】本発明の実施形態に係るインクジェット記録装置のメンテナンス方法を実施するプリンターの構成を模式的に示す斜視図。
【図２】プリンターのインクジェット式記録ヘッドを示す分解部分斜視図。
【図３】プリンターのインクジェット式記録ヘッドの部分平面図。
【図４】プリンターのインクジェット式記録ヘッドの断面図。
【発明を実施するための形態】
【００３３】
以下に本発明の好適な実施形態について説明する。以下に説明する実施形態は、本発明
の一例を説明するものである。また、本発明は、以下の実施形態に限定されるものではな
く、本発明の要旨を変更しない範囲において実施される各種の変形例も含む。
【００３４】
本実施形態に係る溶剤系メンテナンス液（以下、「メンテナンス液」ともいう。）は、
インクジェット記録装置のメンテナンスに用いる溶剤系メンテナンス液であって、ラクト
ン系溶剤と、溶剤系メンテナンス液の総質量に対して３０質量％以上のアルキレングリコ
ールモノエーテル系溶剤と、を含有することを特徴とする。また、本実施形態に係るイン
クジェット記録装置のメンテナンス方法は、本実施形態に係る溶剤系メンテナンス液を用
いてインクジェット記録装置のメンテナンスを行うことを特徴とする。
【００３５】
以下、本実施形態に係る溶剤系メンテナンス液及びインクジェット記録装置のメンテナ
ンス方法について、このメンテナンス方法によりメンテナンスを行うインクジェット記録
装置、メンテナンス液、インク組成物（以下、「インク」とも呼ぶ。）、メンテナンス方
法の順に説明する。
【００３６】
１．各構成
１．１．インクジェット記録装置
本実施形態に係るインクジェット記録装置のメンテナンス方法が実施されるインクジェ
ット記録装置の一例について、図面を参照しながら説明する。なお、本実施形態に係るメ
ンテナンス方法に使用できるインクジェット記録装置は、以下の態様に限定されるもので
はない。
【００３７】
本実施形態で用いられるインクジェット記録装置としては、例えば、図１に示すような
、インク及びメンテナンス液を流通させるインク流路を備えたインクジェットプリンター
（以下、単に「プリンター」ともいう。）が挙げられる。
【００３８】
図１は、本実施形態におけるプリンター１の構成を示す斜視図である。図１に示すよう
に、プリンター１は、インクジェット式記録ヘッド２を搭載すると共にインクカートリッ
ジ３を着脱可能に装着するキャリッジ４と、インクジェット式記録ヘッド２の下方に配設
され記録媒体６が搬送されるプラテン５と、キャリッジ４を記録媒体６の媒体幅方向（主
走査方向）に移動させるキャリッジ移動機構７と、記録媒体６を媒体送り方向に搬送する
媒体送り機構８と、を備える。プリンター１はさらに制御部ＣＯＮＴを備え、制御部ＣＯ
ＮＴによりプリンター１全体の動作が制御される。
【００３９】
インクカートリッジ３は、独立した複数のカートリッジからなり、カートリッジ毎に後
述するインクやメンテナンス液が充填される。なお、メンテナンス液が充填されたカート
リッジは、通常の印刷時にはキャリッジ４上に搭載されていなくてもよく、少なくともイ
ンク流路を洗浄する際にキャリッジ４に装着されていればよい。
【００４０】
本実施形態において、プリンター１として、インクカートリッジ３をキャリッジ４に搭
載した、いわゆるオンキャリッジタイプのプリンターを例示したが、これに限定されるも
のではない。例えば、インクやメンテナンス液が充填された容器（例えば、インクパック
、インクカートリッジ等）をプリンター１の筐体等に装着して、インク供給管を介してヘ
ッド２に供給する、いわゆるオフキャリッジタイプのプリンターであってもよい。
【００４１】
図２は、インクジェット式記録ヘッド２の概略構成を示す分解斜視図であり、図３はイ
ンクジェット式記録ヘッド２の部分平面図、図４は図３のＡ−Ａ断面図である。
【００４２】
図２〜４おいて、インクジェット式記録ヘッド２は、流路形成基板１０とノズルプレー
ト２０と保護基板３０とを備えている。インクジェット式記録ヘッド２は、流路形成基板
１０を、ノズルプレート２０と保護基板３０とで挟んで組み立てられている。
【００４３】
流路形成基板１０は、面方位（１１０）のシリコン単結晶基板からなり、その一方の面
には予め熱酸化により弾性膜５０が形成されている。
【００４４】
流路形成基板１０には、隔壁１１によって区画された複数の圧力発生室１２が並設され
ている。また、流路形成基板１０の圧力発生室１２の長手方向外側の領域には連通部１３
が形成され、連通部１３と各圧力発生室１２とが、圧力発生室１２毎に設けられたインク
供給路１４を介して連通されている。
【００４５】
なお、連通部１３は、保護基板３０と連通して各圧力発生室１２の共通のインク室とな
るマニホールド２００（図４参照）を構成する。インク供給路１４は、圧力発生室１２よ
りも狭い幅で形成されており、連通部１３から圧力発生室１２に流入するインクの流路抵
抗を一定に保持している。
【００４６】
また、流路形成基板１０の開口面側には、各圧力発生室１２のインク供給路１４とは反
対側の端部近傍に連通するノズル開口部２１が穿設されたノズルプレート２０が、マスク
膜５２を介して接着剤や熱溶着フィルム等によって固着されている。なお、ノズルプレー
ト２０は、例えば、ガラスセラミックス、シリコン単結晶基板またはステンレス鋼等から
なる。
【００４７】
一方、流路形成基板１０の開口面とは反対側には、圧電アクチュエーター１００が設け
られている。圧電アクチュエーター１００は、振動板５３と駆動手段である圧電素子３０
０とを備えている。
【００４８】
振動板５３は、厚さが、例えば約１．０μｍの弾性膜５０と、弾性膜５０上に形成され
た酸化ジルコニウムからなる、厚さが約０．３５μｍの絶縁体膜５４とを備えている。
【００４９】
圧電素子３００は、振動板５３を介して圧力発生室１２と対向する領域に形成されてい
る。
【００５０】
絶縁体膜５４上には、例えば、厚さが約０．１〜０．２μｍの下電極６０と、厚さが約
０．５〜５μｍの圧電体層７０と、厚さが約０．０５μｍの上電極８０とからなる圧電素
子３００が形成されている。
【００５１】
なお、一般的には、圧電素子３００の何れか一方の電極を共通電極とし、他方の電極及
び圧電体層７０を圧力発生室１２毎にパターニングして構成する。本実施形態では、下電
極６０を圧電素子３００の共通電極とし、上電極８０を圧電素子３００の個別電極として
いるが、駆動回路や配線の都合でこれを逆にしても支障はない。
【００５２】
また、圧電アクチュエーター１００は、リード電極９０を備えている。各圧電素子３０
０の上電極８０には、例えば、金（Ａｕ）等からなるリード電極９０がそれぞれ接続され
、このリード電極９０を介して各圧電素子３００に選択的に電圧が印加されるようになっ
ている。
【００５３】
流路形成基板１０には、圧電素子３００に対向する領域に、圧電素子３００を保護する
ための圧電素子保持部３１を有する保護基板３０を備える。
【００５４】
なお、圧電素子保持部３１は、圧電素子３００の運動を阻害しない程度の空間を確保で
きればよく、当該空間は密封されていても、密封されていなくてもよい。
【００５５】
また、保護基板３０には、連通部１３に対向する領域にリザーバ部３２が設けられてお
り、このリザーバ部３２は、流路形成基板１０の連通部１３と連通されて各圧力発生室１
２の共通のインク室となるマニホールド２００を構成している。
【００５６】
さらに、保護基板３０の圧電素子保持部３１とマニホールド２００との間の領域には、
保護基板３０を厚さ方向に貫通する貫通孔３３が設けられ、この貫通孔３３内に下電極６
０の一部及びリード電極９０の先端部が露出され、これら下電極６０及びリード電極９０
には、制御部ＣＯＮＴから延設される接続配線の一端が接続される。
【００５７】
保護基板３０は、流路形成基板１０の熱膨張率と略同一の材料、例えば、ガラス、セラ
ミック材料、シリコン単結晶基板等によって形成されているのが好ましい。
【００５８】
保護基板３０の流路形成基板１０と対向する面と反対側の面には、封止膜４１及び固定
板４２とからなるコンプライアンス基板４０が接合されている。封止膜４１は、剛性が低
く可撓性を有する材料、例えば、厚さが６μｍのポリフェニレンサルファイド（ＰＰＳ）
フィルムからなり、この封止膜４１によってリザーバ部３２の一方面が封止されている。
【００５９】
固定板４２は、金属等の硬質の材料、例えば、厚さが３０μｍのステンレス鋼（ＳＵＳ
）等で形成される。この固定板４２のマニホールド２００に対向する領域は、厚さ方向に
完全に除去された開口部４３となっているため、マニホールド２００の一方面は可撓性を
有する封止膜４１のみで封止されている。
【００６０】
本実施形態において、インクジェット式記録ヘッド２は、インク供給手段からインクを
取り込み、マニホールド２００からノズル開口部２１に至るまで内部をインクで満たした
後、制御部ＣＯＮＴからの信号に従い、圧力発生室１２に対応するそれぞれの下電極６０
と上電極８０との間に電圧が印加される。電圧の印加によって、弾性膜５０及び圧電体層
７０がたわみ変形して各圧力発生室１２内の圧力が高まり、ノズル開口部２１からインク
滴が吐出される。
【００６１】
なお、本実施形態において、インク流路とは、インクジェット記録装置においてインク
と接触する箇所のことをいう。具体的には、上記プリンター１におけるインク流路として
は、インクカートリッジ３とインクジェット式記録ヘッド２とを接続するための流路（図
示せず）や、インクジェット式記録ヘッド２内のマニホールド２００、インク供給路１４
、圧力発生室１２、ノズル開口部２１等が挙げられる。
【００６２】
本実施形態において、プリンター１のインク流路は、インクやメンテナンス液の流通す
る方向に直交する断面の面積が１００μｍ２以上１０００μｍ２以下である領域を有する
。このような領域としては、例えば、インク供給路１４やノズル開口部２１が挙げられる
。
【００６３】
当該インク供給路１４は、インクやメンテナンス液の流通する方向に直交する断面の形
状が四角形であることができる。当該四角形の最も短い辺の長さは、１５μｍ以上２５μ
ｍ以下であることができる。四角形としては、例えば、長方形、正方形、台形、平行四辺
形等が挙げられる。また、「四角形の最も短い辺」とは、例えば、長方形にあってはその
短辺のことをいう。
【００６４】
当該ノズル開口部２１の直径は、１５μｍ以上２５μｍ以下であることができる。ノズ
ル開口部の形状は、例えば、円柱形状、円錐台形状、またはこれらを組み合わせた形状で
あることができ、インクの流通する方向に直交する断面の形状が円であることができる。
【００６５】
このように、インク流路（インク供給路）が狭い場合や、ノズル開口部の直径が小さい
場合であっても、後述する本実施形態に係るメンテナンス液を用いれば、インクの吐出不
良等の不具合が生じにくい。すなわち、本実施形態に係るメンテナンス液は、メンテナン
ス液に起因する異物の発生が低減されているため、狭いインク流路を備えたインクジェッ
ト記録装置に好適に使用できる。
【００６６】
１．２．溶剤系メンテナンス液
次に、本実施形態に係る溶剤系メンテナンス液について説明する。本実施形態に係る溶
剤系メンテナンス液は、ラクトン系溶剤と、溶剤系メンテナンス液の総質量に対して３０
質量％以上のアルキレングリコールモノエーテル系溶剤と、を含有する。本実施形態にお
いて、メンテナンス液の態様としては、インク供給路等のインク供給部材を洗浄するため
の洗浄液、インク供給部材中にインクが充填されていた状態から、インクを押し流し、除
去するために流す置換液、プリンターの搬送や停止の際に、インクの代わりに充填するた
めの充填液、インクの吐出チェック等に用いる試験液等が挙げられる。以下、本実施形態
に係る溶剤系メンテナンス液に含まれる成分、及び含まれ得る成分ついて詳細に説明する
。
【００６７】
なお、本発明における「溶剤系」メンテナンス液とは、溶媒成分として、有機溶剤等の
溶剤を主要な成分として、水を主要な成分としない組成物である。組成物中の水の含有量
は、その組成物１００質量％に対して５質量％以下であり、３質量％以下が好ましく、２
質量％以下がより好ましく、１質量％以下がさらに好ましく、０．５質量％以下が特に好
ましい。メンテナンス液組成物（１００質量％）における有機溶剤等の溶剤の含有量は８
０質量％以上が好ましく、９０質量％以上がより好ましく、９５質量％以上がさらに好ま
しい。また、限られるものではないが、組成物の調製において主な溶媒成分として意図的
に水を添加せず不純物として不可避的に水分を含んでしまう場合は、許容される組成物と
してもよい。
【００６８】
また、本実施形態に係る溶剤系メンテナンス液に使用する有機溶剤としては、後述する
インクに含まれる有機溶剤と同様のものを用いることが好ましい。溶剤系メンテナンス液
に含まれる有機溶剤と、インクに含まれる有機溶剤とを共通させると、溶剤系メンテナン
ス液とインクとの置換を効率的に行うことができ、また、洗浄性に優れるものとなる。
【００６９】
本実施形態に係る溶剤系メンテナンス液に含まれる有機溶剤としては、常温常圧下で液
体のアルキレングリコールエーテル系溶剤、ラクトン系溶剤等が挙げられ、特に本実施形
態に係る溶剤系メンテナンス液は、部材アタック性の低減と、有機溶剤を主成分とするイ
ンクを用いるインクジェット記録装置の部材の洗浄性の観点から、ラクトン系溶剤と、溶
剤系メンテナンス液の総質量に対して３０質量％以上のアルキレングリコールモノエーテ
ル系溶剤と、を含有する。
【００７０】
１．２．１．ラクトン系溶剤
本実施形態に係る溶剤系メンテナンス液は、溶剤としてラクトン（環状エステル）系溶
を含むことにより、樹脂からなる容器内側のフィルム部材やインク供給部材に含まれる可
塑剤由来の異物等の汚れ除去の洗浄性に優れる。反面、ラクトン系溶剤は樹脂との親和性
が高いため部材アタック性が強く、部材を膨潤・溶解してダメージを与える傾向にあるが
、本実施形態では、溶剤系メンテナンス液の総質量に対して３０質量％以上のアルキレン
グリコールモノエーテル系溶剤と組み合わせることにより、洗浄性を損なわずに部材アタ
ック性の低減を可能とすることができる。
【００７１】
ラクトンとは、ヒドロキシル基とカルボキシル基とを有する１つの分子において、当該
分子内で、該ヒドロキシル基と該カルボキシル基とが脱水縮合した構造を有する化合物で
ある。環状エステルは、炭素原子を２個以上、酸素原子を１個含む複素環を有し、当該複
素環を形成する酸素原子に隣接してカルボニル基が配置された構造を有する化合物である
。
【００７２】
ラクトンのうち、単純な構造を有するものとしては、β−プロピオラクトン、β−ブチ
ロラクトン、γ−ブチロラクトン、γ−バレロラクトン、γ−カプロラクトン、σ−バレ
ロラクトン、及びε−カプロラクトン等を例示することができる。なお、ラクトンの複素
環の環員数には特に制限が無く、さらに、例えば、複素環の環員には任意の側鎖が結合し
ていてもよい。ラクトンは、１種単独で用いてもよいし、２種以上混合して用いてもよい
。
【００７３】
本実施形態に係るメンテナンス液では、上記例示したラクトンのうち、３員環以上７員
環以下のラクトンが好ましく、５員環または６員環のラクトンを用いることがより好まし
く、いずれの場合でも側鎖を有さないことがより好ましい。このようなラクトンの具体例
としては、β−ブチロラクトン、γ−ブチロラクトン、γ−バレロラクトンが挙げられる
。
【００７４】
溶剤系メンテナンス液の全量に対するラクトン系溶剤の含有量（複数種を使用する場合
にはその合計量）は、２０質量％以上であることが好ましい。ラクトン系溶剤の含有量が
２０質量％以上であることにより、より洗浄性に優れた溶剤系メンテナンス液となる。ラ
クトン系溶剤の含有量は、２０質量％以上６０質量％以下であることがより好ましく、２
５質量％以上５０質量％以下であることがさらに好ましい。
【００７５】
１．２．２．アルキレングリコールモノエーテル系溶剤
本実施形態に係る溶剤系メンテナンス液は、溶剤として溶剤系メンテナンス液の総質量
に対して３０質量％以上のアルキレングリコールモノエーテル系溶剤を含む。アルキレン
グリコールモノエーテル系溶剤は部材アタック性が弱いため、溶剤系メンテナンス液の総
質量に対して３０質量％以上の含有量でラクトン系溶剤と組み合わせると、ラクトン系溶
剤の洗浄性を損なわずに、部材アタック性の低減が可能となる。
【００７６】
アルキレングリコールモノエーテル系溶剤としては、下記一般式（１）で表される化合
物を含有することが好ましい。
Ｒ１Ｏ−（Ｒ２Ｏ）ｍ−ＯＨ・・・・・（１）
（一般式（１）中、Ｒ１は炭素数１以上４以下のアルキル基を表す。Ｒ２は炭素数２以上
４以下のアルキレン基を表す。ｍは１〜７の整数を表す。）
【００７７】
アルキレングリコールモノエーテル系溶剤としては、一般式（１）で表される化合物を
含有する場合には、より部材アタック性低減の点で好ましい溶剤系メンテナンス液となる
。
【００７８】
ここで、Ｒ１における「炭素数１以上４以下のアルキル基」としては、直鎖状または分
岐状のアルキル基であることができ、例えば、メチル基、エチル基、ｎ−プロピル基、ｉ
ｓｏ−プロピル基、ｎ−ブチル基、ｓｅｃ−ブチル基、イソブチル基、ｔｅｒｔ−ブチル
基等が挙げられる。
【００７９】
また、上記一般式（１）において、Ｒ２における「炭素数２以上４以下のアルキレン基
」としては、例えば、エチレン基、ｎ−プロピレン基、イソプロピレン基、またはブチレ
ン基等が挙げられる。さらに、上記一般式（１）において、Ｒ１の炭素数及びｍが大きい
ほうが、部材へのダメージ低減の点で好ましく、ｍは３〜６の整数であることが好ましい
。
【００８０】
上記一般式（１）で表される化合物である溶剤の具体例としては、例えば、エチレング
リコールモノメチルエーテル、エチレングリコールモノエチルエーテル、エチレングリコ
ールモノイソプロピルエーテル、エチレングリコールモノブチルエーテル、ジエチレング
リコールモノメチルエーテル、ジエチレングリコールモノエチルエーテル、ジエチレング
リコールモノブチルエーテル、トリエチレングリコールモノメチルエーテル、トリエチレ
ングリコールモノエチルエーテル、トリエチレングリコールモノブチルエーテル、テトラ
エチレングリコールモノメチルエーテル、テトラエチレングリコールモノエチルエーテル
、テトラエチレングリコールモノブチルエーテル、ペンタエチレングリコールモノメチル
エーテル、ペンタエチレングリコールモノエチルエーテル、ペンタエチレングリコールモ
ノブチルエーテル、プロピレングリコールモノメチルエーテル、プロピレングリコールモ
ノエチルエーテル、ジプロピレングリコールモノメチルエーテル、ジプロピレングリコー
ルモノエチルエーテル等が挙げられる。これらの化合物は、１種単独又は２種以上を混合
して使用することができる。
【００８１】
本実施形態において、一般式（１）で表される化合物の含有量は、溶剤系メンテナンス
液の全質量（１００質量％）に対して、８０質量％以下であることが好ましく、より好ま
しくは４０質量％以上７５質量以下であり、さらに好ましくは５０質量％以上７０質量％
以下である。一般式（１）で表される化合物の含有量が８０質量％以下であることにより
、さらに、部材アタック性が低減され、洗浄性に優れた溶剤系メンテナンス液となる。
【００８２】
１．２．３．アルキレングリコールジエーテル系溶剤
本実施形態に係る溶剤系メンテナンス液は、溶剤としてアルキレングリコールジエーテ
ル系溶剤を含んでもよい。アルキレングリコールジエーテル系溶剤は、アルキレングリコ
ールモノエーテル系溶剤よりも洗浄性に優れるため、アルキレングリコールエーテル系溶
剤としてアルキレングリコールモノエーテル系溶剤と併用することにより、ラクトン系溶
剤の洗浄性を損なわずに、部材アタック性と洗浄性を調整することができる。
【００８３】
アルキレングリコールジエーテル系溶剤としては、例えば、下記一般式（２）で表され
る化合物が挙げられる。
Ｒ３Ｏ−（Ｒ４Ｏ）ｎ−Ｒ５・・・・・（２）
（一般式（２）中、Ｒ３及びＲ５は、各々独立して炭素数１以上４以下のアルキル基を表
す。Ｒ４は炭素数２以上４以下のアルキレン基を表す。ｎは１〜７の整数を表す。）
【００８４】
ここで、Ｒ３及びＲ５における「炭素数１以上４以下のアルキル基」としては、直鎖状
または分岐状のアルキル基であることができ、例えば、メチル基、エチル基、ｎ−プロピ
ル基、ｉｓｏ−プロピル基、ｎ−ブチル基、ｓｅｃ−ブチル基、イソブチル基、ｔｅｒｔ
−ブチル基等が挙げられる。
【００８５】
また、上記一般式（２）において、Ｒ４における「炭素数２以上４以下のアルキレン基
」としては、例えば、エチレン基、ｎ−プロピレン基、イソプロピレン基、またはブチレ
ン基等が挙げられる。さらに、上記一般式（２）において、Ｒ３及びＲ５の炭素数及びｎ
が大きいほうが、部材へのダメージ低減の点で好ましく、ｎは３〜６の整数であることが
好ましい。
【００８６】
上記一般式（２）で表される化合物である溶剤の具体例としては、例えば、エチレング
リコールジメチルエーテル、エチレングリコールジエチルエーテル、エチレングリコール
ジブチルエーテル、ジエチレングリコールジメチルエーテル、ジエチレングリコールジエ
チルエーテル、ジエチレングリコールメチルエチルエーテル、ジエチレングリコールジブ
チルエーテル、ジエチレングリコールブチルメチルエーテル、トリエチレングリコールジ
メチルエーテル、トリエチレングリコールジエチルエーテル、トリエチレングリコールジ
ブチルエーテル、トリエチレングリコールブチルメチルエーテル、テトラエチレングリコ
ールジメチルエーテル、テトラエチレングリコールジエチルエーテル、テトラエチレング
リコールジブチルエーテル、プロピレングリコールジメチルエーテル、プロピレングリコ
ールジエチルエーテル、ジプロピレングリコールジメチルエーテル、ジプロピレングリコ
ールジエチルエーテル等が挙げられる。アルキレングリコールジエーテル類は、１種単独
又は２種以上を混合して使用することができる。
【００８７】
本実施形態において、一般式（２）で表される化合物の含有量は、溶剤系メンテナンス
液の全質量（１００質量％）に対して２０質量％以上であることが好ましく、より好まし
くは２０質量％以上６５質量％以下であり、さらに好ましくは２５質量％以上５５質量％
以下である。一般式（２）で表される化合物の含有量が２０質量％以上であることにより
、さらに、部材アタック性が低減され、洗浄性に優れた溶剤系メンテナンス液となる。
【００８８】
なお、本実施形態において、一般式（１）で表される化合物（アルキレングリコールモ
ノエーテル系溶剤）及び一般式（２）で表される化合物（アルキレングリコールジエーテ
ル系溶剤）の両方を含むアルキレングリコールエーテル系溶剤と、上記ラクトン系溶剤と
の合計の含有量は、溶剤系メンテナンス液の総質量に対して８０質量％以上であることが
好ましく、より好ましくは９０質量％以上であり、さらに好ましくは９５質量％以上であ
る。この場合には、さらに、部材アタック性が低減され、洗浄性に優れた溶剤系メンテナ
ンス液となる。
【００８９】
また、上記アルキレングリコールエーテル系溶剤の含有量は、溶剤系メンテナンス液の
総質量に対して８０質量％以下であることが好ましく、より好ましくは３０質量％以上８
０質量％以下であり、さらに好ましくは４０質量％以上７５質量％以下である。この場合
には、さらに、部材アタック性が低減され、洗浄性に優れた溶剤系メンテナンス液となる
。
【００９０】
１．２．４．その他の溶剤
本実施形態に係る溶剤系メンテナンス液は、前記例示した有機溶剤の他に、以下に例示
する溶剤をさらに含有してもよい。
【００９１】
そのような溶剤としては、好ましくは極性有機溶剤、例えば、アルコール類（メチルア
ルコール、エチルアルコール、プロピルアルコール、ブチルアルコール、イソプロピルア
ルコール、フッ化アルコール等）、ケトン類（アセトン、メチルエチルケトン、シクロヘ
キサノン等）、カルボン酸エステル類（酢酸メチル、酢酸エチル、酢酸プロピル、酢酸ブ
チル、プロピオン酸メチル、プロピオン酸エチル等）、エーテル類（ジエチルエーテル、
ジプロピルエーテル、テトラヒドロフラン、ジオキサン等）、多価アルコール類（エチレ
ングリコール、ジエチレングリコール、トリエチレングリコール、ポリエチレングリコー
ル、ポリプロピレングリコール、プロピレングリコール、ブチレングリコール、１，２，
６−ヘキサントリオール、チオグリコール、ヘキシレングリコール、グリセリン、トリメ
チロールエタン、トリメチロールプロパン等）等が挙げられる。
【００９２】
また、溶剤として、（多価）アルコール類を含有してもよい。（多価）アルコール類と
しては、グリセリン、プロピレングリコール、ジプロピレングリコール、１，２−ブタン
ジオール、１，２−ペンタンジオール、１，２−ヘキサンジオール、１，２−ヘプタンジ
オール、３−メチル−１，３−ブタンジオール、２−エチル−２−メチル−１，３−プロ
パンジオール、２−メチル−１，３−プロパンジオール、２−メチル−２−プロピル−１
，３−プロパンジオール、２，２−ジメチル−１，３−プロパンジオールや、２−メチル
ペンタン−２，４−ジオール等が挙げられる。
【００９３】
また、溶剤系メンテナンス液にはアミン類を配合してもよく、例えば、トリエタノール
アミン、トリプロパノールアミン、トリブタノールアミン、Ｎ，Ｎ−ジメチル−２−アミ
ノエタノール、Ｎ，Ｎ−ジエチル−２−アミノエタノール等のヒドロキシルアミンが挙げ
られ、１種または複数種を用いることができる。
【００９４】
また、溶剤として、ラウリン酸メチル、ヘキサデカン酸イソプロピル（パルミチン酸イ
ソプロピル）、ミリスチン酸イソプロピル、オレイン酸メチル、オレイン酸エチル等の高
級脂肪酸エステル、炭素数２〜８の脂肪族炭化水素のジカルボン酸（炭素数はカルボキシ
ル基の炭素を除く）を炭素数１〜５のアルキル基でジエステル化した二塩基酸ジエステル
、並びに、炭素数６〜１０の脂肪族炭化水素のモノカルボン酸（炭素数はカルボキシル基
の炭素を除く）をアミド化した（アミド窒素原子を置換している置換基がそれぞれ独立し
て水素原子、炭素数１〜４のアルキル基である）アルキルアミド（Ｎ，Ｎ−ジメチルデカ
ンアミド等）等が挙げられる。
【００９５】
ここで例示したその他の溶剤は、１種又は複数種を、溶剤系メンテナンス液に対して、
適宜の配合量で添加し、溶剤の総含有量がメンテナンス液の総質量に対し８０質量％以上
となるように添加することができる。例えば、これらの溶剤の含有量は、溶剤系メンテナ
ンス液の全質量に対して、０．０５質量％以上５質量％以下であることが好ましく、０．
１質量％以上３質量％以下であることがさらに好ましい。
【００９６】
１．２．５．その他の成分
本実施形態に係る溶剤系メンテナンス液には、溶剤系メンテナンス液の性能を高める観
点から、前記溶剤の他に、通常の非水系インクに含まれる成分を含有してもよい。このよ
うな成分としては、例えば、界面活性剤、防腐剤・防かび剤、酸化防止剤、ｐＨ調整剤等
が挙げられる。
【００９７】
界面活性剤は、インク流路に対する溶剤系メンテナンス液の濡れ性を高め、インク流路
の洗浄性を高めるという観点から用いることができる。このような界面活性剤としては、
特に限定されないが、例えば、シリコン系界面活性剤、フッ素系界面活性剤、または非イ
オン性界面活性剤であるポリオキシエチレン誘導体等が挙げられる。
【００９８】
シリコン系界面活性剤としては、ポリエステル変性シリコンやポリエーテル変性シリコ
ンを用いることが好ましい。具体例としては、ＢＹＫ−３４７、３４８、ＢＹＫ−ＵＶ３
５００、３５１０、３５３０、３５７０（いずれもビックケミー・ジャパン社製）が挙げ
られる。
【００９９】
フッ素系界面活性剤としては、フッ素変性ポリマーを用いることが好ましく、具体例と
しては、ＢＹＫ−３４０（ビックケミー・ジャパン社製）が挙げられる。
【０１００】
また、ポリオキシエチレン誘導体としては、アセチレングリコール系界面活性剤を用い
ることが好ましい。具体例としては、サーフィノール８２、１０４、４６５、４８５、Ｔ
Ｇ（いずれもエアープロダクツジャパン社製）、オルフィンＳＴＧ、Ｅ１０１０（いずれ
も日信化学株式会社製）、ニッサンノニオンＡ−１０Ｒ、Ａ−１３Ｒ（いずれも日油株式
会社製）、フローレンＴＧ−７４０Ｗ、Ｄ−９０（共栄社化学株式会社製）、ノイゲンＣ
Ｘ−１００（第一工業製薬株式会社製）等が挙げられる。
【０１０１】
防腐剤・防かび剤としては、安息香酸ナトリウム、ペンタクロロフェノールナトリウム
、２−ピリジンチオール−１−オキサイドナトリウム、ソルビン酸ナトリウム、デヒドロ
酢酸ナトリウム、１,２−ジベンジンチアゾリン−３−オン（ＩＣＩ社のプロキセルＣＲ
Ｌ、プロキセルＢＮＤ、プロキセルＧＸＬ、プロキセルＸＬ−２、プロキセルＴＮ）等が
挙げられる。
【０１０２】
ｐＨ調整剤、溶解助剤、または酸化防止剤の例として、ジエタノールアミン、トリエタ
ノールアミン、プロパノールアミン、モルホリン等のアミン類及びそれらの変成物、水酸
化カリウム、水酸化ナトリウム、水酸化リチウム等の無機塩類、水酸化アンモニウム、四
級アンモニウム水酸化物（テトラメチルアンモニウム等）、炭酸カリウム、炭酸ナトリウ
ム、炭酸リチウム等の炭酸塩類その他燐酸塩等、あるいはＮ−メチル−２−ピロリドン、
尿素、チオ尿素、テトラメチル尿素等の尿素類、アロハネート、メチルアロハネート等の
アロハネート類、ビウレット、ジメチルビウレット、テトラメチルビウレット等のビウレ
ット類等、Ｌ−アスコルビン酸及びその塩を挙げることができる。
【０１０３】
１．２．６．溶剤系メンテナンス液の物性
本実施形態に係る溶剤系メンテナンス液は、インク流路の洗浄後にインクジェット式記
録ヘッドのノズル開口部から容易に排出できるように、２０℃における粘度が２ｍＰａ・
ｓ以上１５ｍＰａ・ｓ以下であることが好ましく、２ｍＰａ・ｓ以上１０ｍＰａ・ｓ以下
であることがより好ましい。
【０１０４】
なお、粘度の測定は、粘弾性試験機ＭＣＲ−３００（Ｐｙｓｉｃａ社製）を用いて、２
０℃の環境下で、Ｓｈｅａｒ  Ｒａｔｅを１０〜１０００に上げていき、Ｓｈｅａｒ  Ｒ
ａｔｅ２００時の粘度を読み取ることにより測定することができる。
【０１０５】
１．２．７．溶剤系メンテナンス液の調製方法
本実施形態に係る溶剤系メンテナンス液は、上記の各成分を適当な方法で分散・混合す
ることよって製造することができる。上記の各成分を十分に攪拌した後、目詰まりの原因
となる粗大粒子及び異物を除去するためにろ過を行って、目的の溶剤系メンテナンス液を
得ることができる。
【０１０６】
１．３．インク組成物
本実施形態において、インク組成物として、本実施形態に係る溶剤系メンテナンス液と
同様に、有機溶剤等を主要な溶媒とした組成物が好ましい。またメンテナンス液と含まれ
る有機溶剤が共通しているインク組成物を用いることが好ましい。この場合には、溶剤系
メンテナンス液とインクとの置換を効率的に行うことができ、洗浄性を確保できるため、
本実施形態に係る溶剤系メンテナンス液はインクジェット記録装置のメンテナンスに用い
るメンテナンス液として好適である。
【０１０７】
このような有機溶剤等を主要な溶媒成分としたインク組成物としては、非水系インク組
成物（以下、「非水系インク」とも呼ぶ。）であることが好ましく、特に、有機溶剤の含
有量が８０質量％以上である溶剤系インク組成物であることが好ましい。
【０１０８】
ここで、本発明において、非水系インク組成物とは、有機溶剤等を主要な溶媒として、
水を主要な溶媒としないインク組成物であり、インク組成物中の水の含有量はその組成物
１００質量％に対して５質量％以下であり、３質量％以下が好ましく、２質量％以下がよ
り好ましく、１質量％以下がさらに好ましく、０．５質量％以下が特に好ましい。非水系
インク組成物（１００質量％）における有機溶剤等の含有量は５０質量％以上が好ましく
、７０質量％以上がより好ましい。溶剤系インク組成物である場合には、有機溶剤の含有
量は８０質量％以上であり、好ましくは８５質量％以上であり、より好ましくは９０質量
％以上であり、さらに好ましくは９５質量％以上である。また、限られるものではないが
、インクの調製において主な溶媒成分として意図的に水を添加せず不純物として不可避的
に水分を含んでしまう場合は、許容されるインク組成物としてもよい。
【０１０９】
以下、本実施形態に係るインク組成物に含まれる成分について説明する。
【０１１０】
１．３．１．顔料
本実施形態に係るインク組成物は、顔料を含有する。顔料としては、無機顔料及び有機
顔料等の顔料を用いることができる。これらの顔料は、１種単独で用いてもよいし、２種
以上混合して用いてもよい。
【０１１１】
有機顔料としては、例えば、アゾ顔料（例えば、アゾレーキ、不溶性アゾ顔料、縮合ア
ゾ顔料、キレートアゾ顔料等）、多環式顔料（フタロシアニン顔料、ペリレン及びペリレ
ン顔料、アントラキノン顔料、キナクリドン顔料、ジオキサンジン顔料、チオインジゴ顔
料、イソインドリノン顔料、キノフタロニ顔料等）、染料レーキ（例えば、塩基性染料型
レーキ、酸性染料型レーキ等）、ニトロ顔料、ニトロソ顔料、アニリンブラック、昼光蛍
光顔料等が挙げられる。また、無機顔料としては、カーボンブラック、二酸化チタン、シ
リカ、アルミナ等が挙げられる。
【０１１２】
マゼンタまたはレッド系の有機顔料としては、例えば、Ｃ．Ｉ．ピグメントレッド２、
Ｃ．Ｉ．ピグメントレッド３、Ｃ．Ｉ．ピグメントレッド５、Ｃ．Ｉ．ピグメントレッド
６、Ｃ．Ｉ．ピグメントレッド７、Ｃ．Ｉ．ピグメントレッド１５、Ｃ．Ｉ．ピグメント
レッド１６、Ｃ．Ｉ．ピグメントレッド４８：１、Ｃ．Ｉ．ピグメントレッド５３：１、
Ｃ．Ｉ．ピグメントレッド５７：１、Ｃ．Ｉ．ピグメントレッド１２２、Ｃ．Ｉ．ピグメ
ントレッド１２３、Ｃ．Ｉ．ピグメントレッド１３９、Ｃ．Ｉ．ピグメントレッド１４４
、Ｃ．Ｉ．ピグメントレッド１４９、Ｃ．Ｉ．ピグメントレッド１６６、Ｃ．Ｉ．ピグメ
ントレッド１７０、Ｃ．Ｉ．ピグメントレッド１７７、Ｃ．Ｉ．ピグメントレッド１７８
、Ｃ．Ｉ．ピグメントレッド１９４、Ｃ．Ｉ．ピグメントレッド２０９、Ｃ．Ｉ．ピグメ
ントレッド２２２、Ｃ．Ｉ．ピグメントレッド２２４等が挙げられる。
【０１１３】
オレンジまたはイエロー系の有機顔料としては、例えば、Ｃ．Ｉ．ピグメントオレンジ
３１、Ｃ．Ｉ．ピグメントオレンジ４３、Ｃ．Ｉ．ピグメントオレンジ６４、Ｃ．Ｉ．ピ
グメントイエロー１２、Ｃ．Ｉ．ピグメントイエロー１３、Ｃ．Ｉ．ピグメントイエロー
１４、Ｃ．Ｉ．ピグメントイエロー１５、Ｃ．Ｉ．ピグメントイエロー１７、Ｃ．Ｉ．ピ
グメントイエロー７４、Ｃ．Ｉ．ピグメントイエロー９３、Ｃ．Ｉ．ピグメントイエロー
９４、Ｃ．Ｉ．ピグメントイエロー１２８、Ｃ．Ｉ．ピグメントイエロー１３８、Ｃ．Ｉ
．ピグメントイエロー１５０、Ｃ．Ｉ．ピグメントイエロー１５５、Ｃ．Ｉ．ピグメント
イエロー１８０等が挙げられる。
【０１１４】
グリーンまたはシアン系の有機顔料としては、例えば、Ｃ．Ｉ．ピグメントブルー１５
、Ｃ．Ｉ．ピグメントブルー１５：２、Ｃ．Ｉ．ピグメントブルー１５：３、Ｃ．Ｉ．ピ
グメントブルー１６、Ｃ．Ｉ．ピグメントブルー６０、Ｃ．Ｉ．ピグメントグリーン７、
Ｃ．Ｉ．ピグメントグリーン３６等が挙げられる。
【０１１５】
ブラック系の無機顔料としては、カーボンブラック等が挙げられる。
【０１１６】
本実施形態において、インク組成物中における顔料の含有量は、用途や印刷特性によっ
て適宜選択することができるが、インク組成物全質量に対して、好ましくは１．０質量％
以上２５質量％以下、より好ましくは１質量％以上１５質量％以下、特に好ましくは１質
量％以上１０質量％以下である。
【０１１７】
１．３．２．有機溶剤
本実施形態において、インク組成物は有機溶剤を含有する。有機溶剤としては、上記溶
剤系メンテナンス液で例示した成分と同様のものを用いることができるので、その説明を
省略する。
【０１１８】
１．３．３．その他の成分
本実施形態において、インク組成物は、通常の非水系インクに含まれる成分を含有する
ことができる。このような成分としては、上記溶剤系メンテナンス液で例示した成分と同
様のもの（界面活性剤、防腐剤・防かび剤、酸化防止剤、ｐＨ調整剤）を用いることがで
きるので、その説明を省略する。
【０１１９】
また、本実施形態において、インク組成物は、顔料の分散安定性を向上させる観点から
分散剤を用いることができる。このような分散剤としては、通常の非水系インクにおいて
用いられる任意の分散剤を用いることができる。分散剤としては、有機溶剤の溶解パラメ
ーターが８〜１１であるときに有効に作用する分散剤を用いることが好ましい。このよう
な分散剤の具体例としては、ヒノアクトＫＦ１−Ｍ、Ｔ−６０００、Ｔ−７０００、Ｔ−
８０００、Ｔ−８３５０Ｐ、Ｔ−８０００Ｅ（いずれも武生ファインケミカル株式会社製
）等のポリエステル系高分子化合物、Ｓｏｌｓｐｅｒｓｅ２００００、２４０００、３２
０００、３２５００、３３５００、３４０００、３５２００、３７５００（いずれもＬＵ
ＢＲＩＺＯＬ社製）、Ｄｉｓｐｅｒｂｙｋ−１６１、１６２、１６３、１６４、１６６、
１８０、１９０、１９１、１９２（いずれもビックケミー・ジャパン社製）、フローレン
ＤＯＰＡ−１７、２２、３３、Ｇ−７００（いずれも共栄社化学株式会社製）、アジスパ
ーＰＢ８２１、ＰＢ７１１（いずれも味の素株式会社製）、ＬＰ４０１０、ＬＰ４０５０
、ＬＰ４０５５、ＰＯＬＹＭＥＲ４００、４０１、４０２、４０３、４５０、４５１、４
５３（いずれもＥＦＫＡケミカルズ社製）等が挙げられる。
【０１２０】
また、本実施形態において、インク組成物は、上記成分の他に、インクの粘度を調整す
る目的でバインダー樹脂を添加してもよい。バインダー樹脂としては、例えばアクリル樹
脂、スチレンアクリル樹脂、ロジン変性樹脂、フェノール樹脂、テルペン系樹脂、ポリエ
ステル樹脂、ポリアミド樹脂、エポキシ樹脂、塩化ビニル酢酸ビニル共重合体樹脂、セル
ロースアセテートブチレート等の繊維系樹脂、ビニルトルエン−α−メチルスチレン共重
合体樹脂等が挙げられる。これらのバインダー樹脂は、１種単独で用いてもよく、２種以
上混合して用いてもよい。なお、バインダー樹脂は、その添加量により記録媒体に対する
インクの定着性をさらに良好とすることもできる。
【０１２１】
１．３．４．インク組成物の物性
本実施形態において、インク組成物は、記録品質とインクジェット用インクとしての信
頼性とのバランスの観点から、２０℃における表面張力が２０ｍＮ／ｍ以上５０ｍＮ／ｍ
であることが好ましく、２５ｍＮ／ｍ以上４０ｍＮ／ｍ以下であることがより好ましい。
なお、表面張力の測定は、自動表面張力計ＣＢＶＰ−Ｚ（協和界面科学社製）を用いて、
２０℃の環境下で白金プレートをインクで濡らしたときの表面張力を確認することにより
測定することができる。
【０１２２】
また、同様の観点から、本実施形態において、インク組成物の２０℃における粘度は、
２ｍＰａ・ｓ以上１５ｍＰａ・ｓ以下であることが好ましく、２ｍＰａ・ｓ以上１０ｍＰ
ａ・ｓ以下であることがより好ましい。なお、粘度の測定は、粘弾性試験機ＭＣＲ−３０
０（Ｐｙｓｉｃａ社製）を用いて、２０℃の環境下で、Ｓｈｅａｒ  Ｒａｔｅを１０〜１
０００に上げていき、Ｓｈｅａｒ  Ｒａｔｅ２００時の粘度を読み取ることにより測定す
ることができる。
【０１２３】
１．３．５．インク組成物の調製方法
本実施形態において、インク組成物は、公知の慣用方法によって製造することができる
。例えば、最初に、顔料、分散剤、及び有機溶剤（一部）を混合した後、ボールミル、ビ
ーズミル、超音波、またはジェットミル等で顔料分散液を調製し、所望のインク特性を有
するように調整する。続いて、有機溶剤（残量）、及びその他の添加剤（例えば、界面活
性剤やバインダー樹脂）を撹拌下に加えて、目的のインク組成物を得ることができる。
【０１２４】
１．３．６．その他のインク組成物
なお、本実施形態で使用可能なインク組成物としては、非水系インク組成物の他に、紫
外線硬化型等の、放射線硬化型インクジェット組成物（以下、「ＵＶインク」とも呼ぶ。
）が挙げられる。ＵＶインクも有機溶剤等を主要な溶剤としたインク組成物であり、本実
施形態に係る溶剤系メンテナンス液を用いたメンテナンス法による効果が得られる。
【０１２５】
本実施形態において「放射線硬化型インクジェット組成物」とは、記録媒体に付着した
放射線硬化型インクジェット組成物に対して、活性放射線を照射して硬化膜を得る硬化工
程を有するインクジェット記録方法に用いるインクジェット用インク組成物であり、公知
のものを使用することができる。
【０１２６】
例えば、放射線硬化型インクジェット組成物は、顔料と、インク皮膜を形成する重合性
化合物（モノマー）と、重合開始剤と、有機溶剤と、を含有する。
【０１２７】
顔料や有機溶剤には、上記非水系インク組成物で例示した成分と同様のものを用いるこ
とができる。
【０１２８】
重合性化合物は、単独で、又は光重合開始剤の作用により、光照射時に重合して、記録
媒体上のインクジェット組成物を硬化させることができる。重合性化合物としては、特に
限定されないが、例えば、従来公知の、単官能、２官能、及び３官能以上の多官能のモノ
マー及びオリゴマーが使用可能である。重合性化合物は１種単独で用いてもよく、２種以
上を組み合わせて用いてもよい。
【０１２９】
単官能、２官能、及び３官能以上の多官能のモノマーとしては、特に限定されないが、
例えば、（メタ）アクリル酸、イタコン酸、クロトン酸、イソクロトン酸及びマレイン酸
の不飽和カルボン酸；該不飽和カルボン酸の塩；不飽和カルボン酸のエステル、ウレタン
、アミド及び無水物；アクリロニトリル、スチレン、種々の不飽和ポリエステル、不飽和
ポリエーテル、不飽和ポリアミド、並びに不飽和ウレタンが挙げられる。また、単官能、
２官能、及び３官能以上の多官能のオリゴマーとしては、特に限定されないが、例えば、
直鎖アクリルオリゴマー等の上記のモノマーから形成されるオリゴマー、エポキシ（メタ
）アクリレート、オキセタン（メタ）アクリレート、脂肪族ウレタン（メタ）アクリレー
ト、芳香族ウレタン（メタ）アクリレート及びポリエステル（メタ）アクリレートが挙げ
られる。
【０１３０】
重合開始剤としては、活性放射線を照射することによってラジカルやカチオン等の活性
種を発生し、上記重合性化合物の重合反応を開始させるものであれば特に制限されない。
重合開始剤としては、光ラジカル重合開始剤や光カチオン重合開始剤を使用することがで
きるが、光ラジカル重合開始剤を使用することが好ましい。
【０１３１】
その他、放射線硬化型インクジェット組成物は、界面活性剤、分散剤を含むことができ
、さらに、これ以外の添加剤（成分）を含んでもよい。このような成分としては、特に制
限されないが、例えば、従来公知の、スリップ剤（界面活性剤）、重合促進剤、浸透促進
剤、及び湿潤剤（保湿剤）、定着剤、防黴剤、防腐剤、酸化防止剤、紫外線吸収剤、キレ
ート剤、ｐＨ調整剤、及び増粘剤が挙げられる。
【０１３２】
放射線硬化型インクジェット組成物は、前述した成分を任意な順序で混合し、必要に応
じて濾過等をして不純物を除去することにより得られる。各成分の混合方法としては、メ
カニカルスターラー、マグネチックスターラー等の撹拌装置を備えた容器に順次材料を添
加して撹拌混合する方法が好適に用いられる。濾過方法としては、遠心濾過、フィルター
濾過等を必要に応じて行なうことができる。
【０１３３】
本実施形態で用いる放射線硬化型インクジェット組成物の２０℃における粘度は、好ま
しくは５ｍＰａ・ｓ以上５０ｍＰａ・ｓ以下であり、より好ましくは２０ｍＰａ・ｓ以上
４０ｍＰａ・ｓ以下である。また、２０℃における表面張力は、好ましくは２０ｍＮ／ｍ
以上３０ｍＮ／ｍ以下である。
【０１３４】
１．３．７．記録媒体
本実施形態において、印刷対象となる記録媒体は特に制限されるものではないが、イン
ク低吸収性または非吸収性の記録媒体に記録することが好ましい。本明細書における「イ
ンク低吸収性または非吸収性の記録媒体」とは、インク組成物を全く吸収しない、または
ほとんど吸収しない性質を有する記録媒体を指す。定量的には、インク非吸収性または低
吸収性の記録媒体とは、「ブリストー（Ｂｒｉｓｔｏｗ）法において接触開始から３０ｍ
ｓｅｃ１／２までの水吸収量が１０ｍＬ／ｍ２以下である記録媒体」を指す。このブリス
トー法は、短時間での液体吸収量の測定方法として最も普及している方法であり、日本紙
パルプ技術協会（ＪＡＰＡＮ  ＴＡＰＰＩ）でも採用されている。試験方法の詳細は「Ｊ
ＡＰＡＮ  ＴＡＰＰＩ紙パルプ試験方法２０００年版」の規格Ｎｏ．５１「紙及び板紙−
液体吸収性試験方法−ブリストー法」に述べられている。これに対して、インク吸収性の
記録媒体とは、インク非吸収性または低吸収性の記録媒体に該当しない記録媒体のことを
指す。
【０１３５】
インク非吸収性の記録媒体としては、例えば、インク吸収層を有していないプラスチッ
クフィルム、紙等の基材上にプラスチックがコーティングされているものやプラスチック
フィルムが接着されているもの等が挙げられる。ここでいうプラスチックとしては、ポリ
塩化ビニル、ポリエチレンテレフタレート、ポリカーボネート、ポリスチレン、ポリウレ
タン、ポリエチレン、ポリプロピレン等が挙げられる。
【０１３６】
インク低吸収性の記録媒体としては、表面にインクを受容するための塗工層が設けられ
た記録媒体が挙げられ、例えば、基材が紙であるものとしては、アート紙、コート紙、マ
ット紙等の印刷本紙が挙げられ、基材がプラスチックフィルムである場合には、ポリ塩化
ビニル、ポリエチレンテレフタレート、ポリカーボネート、ポリスチレン、ポリウレタン
、ポリエチレン、ポリプロピレン等の表面に、親水性ポリマーが塗工されたもの、シリカ
、チタン等の粒子がバインダーとともに塗工されたものが挙げられる。これらの記録媒体
は、透明な記録媒体であってもよい。
【０１３７】
２．インクジェット記録装置のメンテナンス方法
次に、本実施形態に係るインクジェット記録装置のメンテナンス方法の一例について説
明する。本実施形態に係るインクジェット記録装置のメンテナンス方法は、本実施形態に
係る溶剤系メンテナンス液を用いてインクジェット記録装置のメンテナンスを行うことを
特徴とする。つまり、本実施形態に係るインクジェット記録装置のメンテナンス方法は、
上記インク組成物を流通させるインク流路を備えた上述のインクジェット記録装置におい
て、当該インク流路を上述の溶剤系メンテナンス液によって洗浄等のメンテナンスを行う
ものである。
【０１３８】
具体的には、インク流路の洗浄は、例えば、上述のインクで満たされたインク流路内に
溶剤系メンテナンス液を流入させて、インク流路内のインクを溶剤系メンテナンス液に置
き換えることにより行う。こうすることで、インク流路内の異物がインクと共にノズル開
口部から排出される。
【０１３９】
インク流路の洗浄後、インクジェット記録装置を用いた画像の記録を長期間行わない場
合や装置の搬送の場合には、インク流路内を溶剤系メンテナンス液で満たしたままにする
ことができる。これにより、インクに起因する異物の発生を防止することができる。
【０１４０】
一方、インクジェット記録装置を用いて画像の記録を行う場合には、溶剤系メンテナン
ス液で満たされたインク流路内にインクを流入させて、溶剤系メンテナンス液をノズル開
口部から排出させることで、再度インク流路内をインクで満たせばよい。
【０１４１】
本実施形態に係るインクジェット記録装置のメンテナンス方法では、上述の溶剤系メン
テナンス液を使用する。そのため、異物発生に起因するノズル詰まり等の不具合の発生を
抑制でき、かつ、インクを流通させるインク流路の洗浄性に優れる。
【０１４２】
３．実施例
以下、本発明の実施形態を実施例及び比較例によってさらに具体的に説明するが、本実
施形態はこれらの実施例のみに限定されるものではない。
【０１４３】
３．１．インク組成物の調製
容器に、ジエチレングリコールジエチルエーテルを投入し、そこにＳｏｌｓｐｅｒｓｅ
３７５００（ＬＵＢＲＩＺＯＬ社製、商品名）及び顔料を所定量添加して、ホモジナイザ
ーを用いて粉砕処理した。その後、直径０．３ｍｍのジルコニアビーズを充填したビーズ
ミルで分散処理を行うことにより、顔料分散液を得た。得られた顔料分散液に、下記のイ
ンク組成物の組成となるよう、溶剤の残り及びＢＹＫ−３４０（ビックケミー・ジャパン
株式会社製、フッ素系界面活性剤）を添加してさらに１時間混合撹拌してから、５μｍの
ＰＴＦＥ製メンブランフィルターを用いて濾過することで、インク組成物を得た。
【０１４４】
なお、用いた各材料及び量は以下の通りである。
＜顔料＞
・Ｃ．Ｉ．ピグメントイエロー１５５：クラリアントジャパン製、商品名「ＰＶ  ＦＡＳ
Ｔ  ＹＥＬＬＯＷ  ＨＧ」、イエロー顔料）  ４質量％
＜分散剤＞
・Ｓｏｌｓｐｅｒｓｅ３７５００：商品名、ＬＵＢＲＩＺＯＬ社製、分散剤  ４質量％
＜溶剤＞
・γ−ブチロラクトン：商品名、関東化学株式会社製、溶剤  １０質量％
・ジエチレングリコールジエチルエーテル：商品名、日本乳化剤株式会社製、溶剤  ５０
質量％
・ジエチレングリコールエチルメチルエーテル：商品名、日本乳化剤株式会社製、溶剤  
３０質量％
＜界面活性剤＞
・ＢＹＫ−３４０：商品名、ビックケミー・ジャパン株式会社製、フッ素系界面活性剤  
２質量％
【０１４５】
３．２．溶剤系メンテナンス液の調製
表１に記載の組成にしたがって、各成分を混合・攪拌した後、１０μｍのメンブレンフ
ィルターでろ過することにより、実施例１〜９及び比較例１〜４を調製した。
【０１４６】
【表１】
2017186451.tif 000002
【０１４７】
なお、表１に示す各成分は、以下の通りである。
＜ラクトン＞
・γ−ブチロラクトン：商品名、関東化学株式会社製
・σ−バレロラクトン：商品名、キシダ化学株式会社製
＜グリコールモノエーテル＞
・ＤＰＧｍＭＥ：ジプロピレングリコールモノメチルエーテル、商品名「メチルプロピレ
ンジグリコール」、日本乳化剤株式会社製
・ＴｅｔｒａＥＧｍＢＥ：テトラエチレングリコールモノブチルエーテル、商品名「ブチ
セノール４０」、ＫＨネオケム株式会社製
＜グリコールジエーテル＞
・ＤＥＧｄＥＥ：ジエチレングリコールジエチルエーテル、商品名「ジエチレングリコー
ルジエチルエーテル」、東京化成工業株式会社製
【０１４８】
３．３．評価試験
３．３．１．異物の発生試験
インクパック（液体との接触面である内側がポリエチレンフィルム膜からなり、液体と
の非接触面である外側がアルミ蒸着膜からなるもの）に、上記のメンテナンス液を充填し
て、温度３０℃の条件下で１５日間放置した。その後、インクパック内のメンテナンス液
を取り出して、異物の発生の有無を目視にて確認し、以下の基準で評価した。
（評価基準）
○：フィルター面上に異物が確認されない。
△：フィルター面上に異物が確認され、フィルター表面積の５％以下が異物で覆われて
いる。
×：フィルター面上に異物が確認され、フィルター表面積の５％超が異物で覆われてい
る。
【０１４９】
３．３．２．部材へのダメージ評価
インク供給管としてキャノン製（ｉＰＦ９４００）のヘッドへインクを供給するインク
供給管を取り出して用意した。これにメンテナンス液を充填して密封し、４０℃の条件下
で１ヶ月間放置した。放置後のインク供給管に対して、１８０°折り曲げて戻す操作を行
い、以下の基準で評価した。
（評価基準）
○：１０００回の折り曲げでもインク供給管が破損しない。
△：５００回超１０００回以下の折り曲げでインク供給管が破損した。
×：５００回以下の折り曲げでインク供給管が破損した。
【０１５０】
３．３．３．洗浄性評価
インクジェットプリンターＧＳ６０００（商品名、セイコーエプソン株式会社製）のノ
ズル面に上記インク組成物を塗布した。これを１時間放置した後に、ノズル面に上記のメ
ンテナンス液を３ｍｌ吹き付け、その後、不織布製の布ワイパーでノズル面を１方向に５
ｃｍ払拭した。これを１セットとして繰り返し、ノズル面のインクを除去した。目視でイ
ンクの残りが見えなくなるまでのセット数を確認し、以下の基準で評価した。
（評価基準）
○：３回以下の払拭でインクの除去ができた。
△：４〜５回の払拭でインクの除去ができた。
×：５回の払拭でインクの除去ができなかった。
【０１５１】
３．４．評価結果
評価試験の結果を表２に示す。
【０１５２】
【表２】
2017186451.tif 000003
【０１５３】
異物の発生試験について、実施例と比べて、比較例２〜４では、フィルター面上に異物
が多数確認され、フィルター表面積の５％超が異物で覆われる結果となった。異物を分析
したところ、フタル酸エステルに起因する異物であった。フタル酸エステルは、インクパ
ックの内側に使用されているポリエチレンフィルムの製造工程において、耐久性確保のた
めに添加された可塑剤である。なお、実施例６、８では、他の実施例と異なり、フィルタ
ー面上に異物が確認された。これは、実施例６では、部材アタック性が強いラクトンの含
有量が多いことにより、インクパック内側のポリエチレンフィルムに対するアタック性が
強くなったことが原因であると考えられる。実施例８では、アルキレングリコールジエー
テル系溶剤の含有量が高かったことにより、ポリエチレンフィルムに対するアタック性が
強くなったことが原因であると考えられる。また、比較例１では、アタック性が強いラク
トンを含まなかったため、異物が発生しなかったと考えられる。
【０１５４】
部材へのダメージ評価について、実施例と比べて、比較例２、４では、５００回以下の
折り曲げでインク供給管が破損する結果となった。これは、比較例２ではインク供給管に
対するアタック性が強いラクトン系溶剤のみを含むことが原因であり、比較例４では、グ
リコールモノエーテル系溶剤の含有量が低く、インク供給管に対するアタック性を充分に
低減できなかったことが原因であると考えられる。なお、実施例１、４、６では、他の実
施例と異なり、５００回超１０００回以下の折り曲げでインク供給管が破損した。これら
の結果により、ラクトン系溶剤の含有量が低く、かつ、アルキレングリコールモノエーテ
ル系溶剤：Ｒ１Ｏ−（Ｒ２Ｏ）ｍ−ＯＨにおいて、Ｒ１の炭素数及びｍが大きいほうが、
部材へのダメージ低減の点で好ましいことが推察される。
【０１５５】
洗浄性評価について、実施例７では４〜５回の払拭でインクの除去ができ、比較例１で
は５回の払拭でインクの除去ができない結果となった。これは、実施例７では、洗浄力が
強いラクトン系溶剤の含有量が低いためと考えられた。また、比較例１ではラクトン系溶
剤を含まないためと考えられた。
【０１５６】
以上により、実施例１〜９では、３０質量％以上のアルキレングリコールモノエーテル
系溶剤とラクトン系溶剤とを組み合わせることにより、部材へのアタック性の低減と洗浄
性を兼ね備えており、有機溶剤を主成分とするインクを用いるインクジェット記録装置の
洗浄に適していた。
【０１５７】
本発明は、前述した実施形態に限定されるものではなく、種々の変形が可能である。例
えば、本発明は、実施形態で説明した構成と実質的に同一の構成（例えば、機能、方法及
び結果が同一の構成、あるいは目的及び効果が同一の構成）を含む。また、本発明は、実
施形態で説明した構成の本質的でない部分を置き換えた構成を含む。また、本発明は、実
施形態で説明した構成と同一の作用効果を奏する構成又は同一の目的を達成することがで
きる構成を含む。また、本発明は、実施形態で説明した構成に公知技術を付加した構成を
含む。
【符号の説明】
【０１５８】
１…プリンター（インクジェット記録装置）、２…インクジェット式記録ヘッド、３…イ
ンクカートリッジ、４…キャリッジ、５…プラテン、６…記録媒体、７…キャリッジ移動
機構、８…媒体送り機構、１０…流路形成基板、１１…隔壁、１２…圧力発生室、１３…
連通部、１４…インク供給路、２０…ノズルプレート、２１…ノズル開口部、３０…保護
基板、３１…圧電素子保持部、３２…リザーバ部、３３…貫通孔、４０…コンプライアン
ス基板、４１…封止膜、４２…固定板、４３…開口部、５０…弾性膜、５２…マスク膜、
５３…振動板、５４…絶縁体膜、６０…下電極、７０…圧電体層、８０…上電極、９０…
リード電極、１００…圧電アクチュエーター、２００…マニホールド、３００…圧電素子
【図１】
2017186451.tif 000004
【図２】
2017186451.tif 000005
【図３】
2017186451.tif 000006
【図４】
2017186451.tif 000007